(57)【要約】【課題】車両などの移動体に搭載される煙検知装置において、煙の検知をより適切に行うための技術を提供する。【解決手段】車両用の検査装置は、煙検知室において、発光素子からの発光または発光素子によって照射された光が煙の粒子によって散乱された散乱光を受光素子によって受光し、その受光量に応じて煙の有無を判定する。検知装置は、受光素子が出力する信号値と比較するための閾値を複数記憶しており、煙の濃度に対応して第１の閾値と、第２の閾値とを記憶している。検知装置は、受光素子が出力する信号値と、第１の閾値とを比較することで、煙が第１の濃度以上か否かを判定し、第１の濃度以上と判定される場合に警報を発する。検知装置は、煙が第１の濃度以上と判定した後、煙の濃度が第２の濃度を超えない期間が一定期間に及ぶときに、警報を解除するための解除信号を出力する。【選択図】図６
2014186620.tif 000002
【特許請求の範囲】
【請求項１】
煙を検知するための検知装置であって、
間欠的に発光する発光部と、
前記発光部により間欠的に放射される光、または、検知対象の前記煙に対して前記発光部から光が照射された場合に、前記煙の粒子によって散乱された散乱光、を受光し、その受光量に基づく信号値を出力する受光部と、
前記信号値と比較するための閾値であって、第１の濃度以上の煙の発生を示す第１の閾値、および、前記第１の濃度を上回る第２の濃度以上の煙の発生を示す第２の閾値を記憶するための記憶部と、
前記信号値と、前記第１の閾値と、前記第２の閾値とに基づいて、前記煙を検知したことを示す警報信号または前記煙を検知していないことを示す解除信号を出力する制御部とを備え、
前記制御部は、
前記受光量に基づく信号値と、前記第１の閾値とに基づいて、前記煙が前記第１の濃度以上か否かを判定し、前記第１の濃度以上と判定される場合に、前記警報信号を出力する第１の判定部と、
前記第１の判定部によって前記警報信号が出力される場合に、前記受光部が出力する前記信号値を監視し、前記信号値と、前記第２の閾値とに基づいて、前記煙が前記第２の濃度以上か否かを逐次判定し、前記煙が第２の濃度を超えない期間が一定期間続くときに、前記解除信号を出力する第２の判定部とを含む、検知装置。
【請求項２】
前記記憶部は、
前記受光部の前記受光量の初期値を記憶するためのものであり、
前記受光部は、前記受光量に対応する前記信号値を出力し、
前記第１の判定部は、前記受光部が出力する前記信号値と、前記初期値との差分を算出し、前記差分を前記第１の閾値と比較し、前記比較の結果に応じて前記警報信号を出力し、
前記第２の判定部は、前記受光部が出力する前記信号値と、前記初期値との差分を算出し、前記差分を前記第２の閾値と比較し、前記比較の結果に応じて前記警報信号または前記解除信号を出力する、請求項１に記載の検知装置。
【請求項３】
前記発光部は、指向性を有する光を所定の放射領域に放射する指向性光源であり、
前記受光部は、前記発光部の放射領域とは異なる位置に配置され、所定の方向からの入射光を受光する指向性受光ユニットであり、前記放射領域に侵入した煙に対し前記発光部からの間欠的な発光が照射されることによって散乱される前記散乱光を前記受光し、受光量に基づく前記信号値を出力し、
前記第１の判定部は、前記信号値が前記第１の閾値を上回る場合に、前記煙が前記第１の濃度以上と判定して前記警報信号を出力し、
前記第２の判定部は、前記第１の判定部によって前記警報信号が出力される場合において、前記信号値が前記第２の閾値を越えない期間が一定期間続くときに、前記解除信号を出力する、請求項１に記載の検知装置。
【請求項４】
前記発光部は、指向性を有する光を所定の放射領域に放射する指向性光源であり、
前記受光部は、前記発光部の前記放射領域に配置され、前記放射領域に前記煙が侵入した場合に、前記発光部が発光する光が前記放射領域に侵入した煙によって遮断された減衰光を前記受光し、前記減衰光に応じた前記信号値を出力し、
前記第１の判定部は、前記信号値が前記第１の閾値を下回る場合に、前記煙が前記第１の濃度以上と判定して前記警報信号を出力し、
前記第２の判定部は、前記第１の判定部によって前記警報信号が出力される場合において、前記信号値が前記第２の閾値を下回る期間が一定期間続くときに、前記解除信号を出力する、請求項１に記載の検知装置。
【請求項５】
車両の空調を制御するためのシステムであって、
前記車両は、
外気を前記車両の室内へ取り入れるためのダクトと、
前記ダクトに設置され、前記車両への外気の流入量を調節するためのダンパと、
前記ダクトを通じて前記車両の外部から流入する煙を検知するための検知装置とを備え、
前記検知装置は、
間欠的に発光する発光部と、
前記発光部により間欠的に放射される光、または、検知対象の前記煙に対して前記発光部から光が照射された場合に、前記煙の粒子によって散乱された散乱光、を受光し、その受光量に基づく信号値を出力する受光部と、
前記信号値と比較するための閾値であって、第１の濃度以上の煙の発生を示す第１の閾値、および、前記第１の濃度を上回る第２の濃度以上の煙の発生を示す第２の閾値を記憶するための記憶部と、
前記信号値と、前記第１の閾値と、前記第２の閾値とに基づいて、前記煙を検知したことを示す警報信号または前記煙を検知していないことを示す解除信号を出力する制御部とを備え、
前記制御部は、
前記受光量に基づく信号値と、前記第１の閾値とに基づいて、前記煙が前記第１の濃度以上か否かを判定し、前記煙が前記第１の濃度以上と判定される場合に、前記警報信号を出力する第１の判定部と、
前記第１の判定部によって前記警報信号が出力される場合に、前記受光部が出力する前記信号値を監視し、前記信号値と、前記第２の閾値とに基づいて、前記煙が前記第２の濃度以上か否かを逐次判定し、前記煙が第２の濃度を越えない期間が一定期間続くときに、前記解除信号を出力する第２の判定部とを含み、
前記ダンパは、前記警報信号が前記検知装置により出力されている場合に外気の流入を遮断し、前記解除信号が前記検知装置により出力されている場合に外気を流入させる、システム。
【請求項６】
車両において空調を制御するための方法であって、
前記車両は、
外気を前記車両の室内へ取り入れるためのダクトと、
前記ダクトに設置され、前記車両への外気の流入量を調節するためのダンパと、
前記ダクトを通じて前記車両の外部から流入する煙を検知するための車両用の検知装置とを備え、
前記検知装置は、
間欠的に発光する発光部と、
前記発光部により間欠的に放射される光、または、検知対象の前記煙に対して前記発光部から光が照射された場合に、前記煙の粒子によって散乱された散乱光、を受光し、その受光量に基づく信号値を出力する受光部と、
前記信号値と比較するための閾値であって、第１の濃度以上の煙の発生を示す第１の閾値、および、前記第１の濃度を上回る第２の濃度以上の煙の発生を示す第２の閾値を記憶するための記憶部とを備え、
前記方法は、前記検知装置が、
前記受光量に基づく信号値と、前記第１の閾値とに基づいて、前記煙が前記第１の濃度以上と判定される場合に、前記煙を検知したことを示す警報信号を出力するステップと、
前記信号値と前記第１の閾値との比較結果に基づいて前記警報信号が出力される場合に、前記受光部が出力する前記信号値を監視し、前記信号値と、前記第２の閾値とに基づいて、前記煙が前記第２の濃度以上か否かを逐次判定し、前記煙が第２の濃度を超えない期間が一定期間続くときに、前記解除信号を出力するステップと、
前記ダンパが、前記警報信号が前記検知装置により出力されている場合に外気の流入を遮断し、前記解除信号が前記検知装置により出力されている場合に外気を前記車両へ流入させるステップとを含む、方法。
【発明の詳細な説明】
【技術分野】
【０００１】
本発明は、検知装置に関し、特に、発光部と受光部とを備えて受光部の受光量に応じて煙を検知する検知装置に関する。
【背景技術】
【０００２】
煙の発生を検知するための検知装置は、小型化、高機能化に伴って広く用いられている。例えば、建物や車両などに検知装置を用いることにより、これら建物や車両などにおける火災等の発生を早期に検知して警報を発することができ、火災等からの避難活動や火災等への対処を早期に開始することができる。
【０００３】
また、車両等の移動体は、空調用に外気を室内空間へ取り込むことがある。この車両等の周囲に、山火事等によって煙が発生していると、煙が室内空間に取り込まれ、室内空間の環境が悪化するおそれがある。そのため、車両等の室内空間に対し外部から流入する煙を検知装置によって検知し、検知時に、ダンパ等を閉じて外部からの煙の流入を遮断することで、室内空間の環境を良好に保つことができる。
【０００４】
検知装置は、例えば、発光部と受光部とを備え、発光部が光を照射して、煙の粒子によって散乱された散乱光を受光部が検出することで煙を検知する。
【０００５】
例えば、特開２０１１−３１６３号公報（下記の特許文献１）は、外乱光と識別し得るように変調された光を用いて煙を検知することにより、外乱光の影響を受けることなく煙の検知動作を可能とする火災警報器について開示している。特許文献１は、受光素子に回帰する初期の受光量をメモリ等に記憶し、初期の受光量と、受光素子が検出する受光量とを常時比較し、この比較結果が予め定めた基準値を超えているか否かによって警報動作を行う技術が記載されている。特許文献１の技術によると、初期の受光量を基準として受光素子の受光量の変化を検出しているので、受光環境に適切に対応した検出をすることができる。
【先行技術文献】
【特許文献】
【０００６】
【特許文献１】特開２０１１−３１６３号公報
【発明の概要】
【発明が解決しようとする課題】
【０００７】
検知装置は、例えば、パルス信号により間欠的に発光部を発光駆動することで煙の検知を行う。発光部は、所定の時間間隔で発光駆動し、発光の時間間隔は、例えば数秒程度である。しかし、鉄道用車両などの移動体において煙検知装置を使用する場合、煙が移動体に流入してから煙の存在を検知するまでに、上記のように発光部を駆動させる所定の時間間隔に基づくタイムラグが発生する。その結果、煙の検出時に、ダンパを閉じる等の対処を行う前に、相当量の煙が車両の室内空間に侵入してしまう可能性がある。
【０００８】
この課題に対し、例えば上記特許文献１の技術において、受光部の受光量と比較するための閾値を比較的低く設定することで、高濃度の煙が煙検知器に到達する前に煙を早期に検知することも想定される。しかし、この場合、流入を防ぐ必要のない薄い煙が車両に進入したとき、および、電気的なノイズがあるとき等においても外気の流入を遮断し続けるおそれがある。また、上記のように、受光量と比較するための閾値を低く設定することで、電気的なノイズによって煙の発生を誤検知する可能性も高まる。
【０００９】
したがって、車両などの移動体に用いられる検知装置において、発光部の発光間隔に基づく煙の検出のタイムラグがある場合に、煙の検知をより適切に行うための技術が必要とされている。
【課題を解決するための手段】
【００１０】
一実施形態に従う検知装置は、煙を検知するためのものであり、煙検知室において、発光素子からの発光または発光素子によって照射された光が煙の粒子によって散乱された散乱光を受光素子によって受光し、その受光量に応じて煙の有無を判定する。検知装置は、受光素子が出力する信号値と比較するための閾値を複数記憶しており、第１の濃度以上の煙の発生を示す第１の閾値と、第１の濃度を上回る第２の濃度以上の煙の発生を示す第２の閾値とを記憶している。検知装置は、受光素子が出力する信号値と、第１の閾値とを比較することで、煙が第１の濃度以上か否かを判定し、第１の濃度以上と判定される場合に警報を発する。検知装置は、煙が第１の濃度以上と判定した後、煙の濃度が第２の濃度を超えない期間が一定期間に及ぶときに、警報を解除するための解除信号を出力する。
【発明の効果】
【００１１】
上記一実施形態によると、車両などの移動体に用いられる検知装置において、煙の検知をより適切に行うことができる。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】本実施形態における空調制御システムおよび車両の概要を示す図である。
【図２】車両用空調制御部９０の構成を示すブロック図である。
【図３】検知装置１０の外観を示す図である。
【図４】検知装置１０の煙検知室２０の内部構成を示す図である。
【図５】検知装置１０の各機能を示すブロック図である。
【図６】検知装置１０の動作を示すフローチャートである。
【図７】比較例における検知装置の動作を示す図である。
【図８】本実施形態において、高濃度の煙が室内空間２へ流入する場合の検知装置１０の動作を示す図である。
【図９】本実施形態において、煙の濃度が室内空間２への流入を防ぐほどではない場合の検知装置１０の動作を示す図である。
【図１０】実施の形態２の煙検知室２０を示す図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜実施の形態１＞
本実施の形態の検知装置は、例えば車両などの移動体に搭載され、車両の外部から内部へと流入する煙を検知する。図１は、本実施形態における空調制御システムおよび車両の概要を示す図である。例えば、鉄道用の車両に、本実施の形態の検知装置を用いることができる。
【００１６】
図１を参照して、車両１は、車両１の室内空間２における空調管理をするための空調制御システム（ダンパ３、室内送風機４、室外送風機５および検知装置１０）を含む。
【００１７】
空調制御システムは、外気を車両１の室内空間２へ取り入れるためのダクトに設置されるダンパ３と、ダクトを通じて車両１の内部に流入する外気を室内空間２へ導くための室内送風機４と、室内空間２の内部の空気を車両１の外部へ排気するための室外送風機５と、ダクトを通じて車両１の内部に流入する煙を検知するための検知装置１０とを含む。
【００１８】
例えば、鉄道用の車両などの移動体は、空調用に外気を取り込むことがあるが、周囲に山火事等による煙が発生していると、この煙がダクトを通じて車両１の内部に流入する。したがって、ダクト内の煙が室内送風機４を通じて室内空間２に流入することを防ぎ、室内空間２の環境を良好に保つことが望ましい。そのため、車両１の空調制御システムは、ダンパ３から室内送風機４への空気の流入経路上に検知装置１０を配置し、検知装置１０が煙を検知した場合に、ダンパ３を閉じる等の対処を行う。これにより、室内空間２へ流入する煙の量を最小限に抑えることができる。
【００１９】
なお、図１の例では、室内空間２に対し室内送風機４が外気を室内空間２へ流入させ、室内空間２の空気が室外送風機５によってダンパ３を通じて車両１の外部へと導かれている。検知装置１０は、例えば、ダンパ３の設置個所と室内送風機４の設置個所との間に配置される。
【００２０】
車両１は、図示しない車両用空調制御部を備えている。この車両用空調制御部が、検知装置１０による煙の検知結果に応じてダンパ３の駆動を制御し、例えば煙の検知時にダンパ３を閉じる。
【００２１】
図２は、車両用空調制御部９０の構成を示すブロック図である。図２を参照して、車両用空調制御部９０は、検知装置１０と、空調制御部９１と、ダンパ３と、ダンパ駆動制御回路９２と、室内送風機４と、室内送風機駆動回路９３とを含む。
【００２２】
空調制御部９１は、室内空間２の空調を管理するための制御回路を含み、ダンパ３の開閉と、室内送風機４の送風などを制御する。空調制御部９１は、検知装置１０による煙の検知結果の出力を受け付けて、ダンパ３の開閉を制御するためダンパ駆動制御回路９２に制御信号を出力する。空調制御部９１は、例えば室内空間２の室内温度および室内空間２の設定温度などに基づいて、車両１の外気を室内空間２に流入させるため室内送風機駆動回路９３に制御信号を出力する。
【００２３】
ダンパ駆動制御回路９２は、ダンパ３の駆動を制御するための駆動回路である。ダンパ駆動制御回路９２は、空調制御部９１から出力される制御信号に応じて、ダンパ３を開閉させる。
【００２４】
室内送風機駆動回路９３は、室内送風機４の駆動を制御するための駆動回路である。室内送風機駆動回路９３は、空調制御部９１から出力される制御信号に応じて、室内送風機４のオンオフを制御する。
【００２５】
検知装置１０について、図面を用いてより詳細に説明する。図３は、検知装置１０の外観を示す図である。図３を参照して、検知装置１０は、外気流入口１１を含む。検知装置１０の周囲の空気は、外気流入口１１から検知装置１０の内部の煙検知室２０（後述する）へと導かれる。検知装置１０は、煙検知室２０において煙の有無を検知する。
【００２６】
図４は、検知装置１０の煙検知室２０の内部構成を示す図である。検知装置１０は、煙検知室２０において、煙検知室２０に流入した煙に光を照射し、この照射による煙からの散乱光を受光部４０によって受光することにより、煙の有無を検知する。なお、煙検知室２０の内部においては、光の照射によって煙を検知している。そのため、煙検知室２０は、外壁部にラビリンスを有することにより、煙検知室２０の外部の光が煙の検知に及ぼす影響を軽減することとしてもよい。
【００２７】
図４を参照して、煙検知室２０は、発光素子３２と、受光素子４２とが円形のベース２１に配置されている。発光素子３２は、例えば発光ダイオードであり、指向性のある光を照射範囲Ａに対して放射する。発光素子３２は、例えば、発光制御回路３１から入力されるパルス信号に従って、間欠的に光を発光する。受光素子４２は、受光面に対して所定の方向から入射する光を受光する指向性の受光素子（例えばフォトダイオード）であり、受光量に応じた信号を出力する。図４の例に示すように、受光素子４２は、受光範囲Ｂから受光面に入射される光を受光する。
【００２８】
外気流入口１１を通じて煙検知室２０に流入した煙が、この発光素子３２の照射範囲Ａと、受光素子４２の受光範囲Ｂとが重なりあう範囲Ｃに侵入した場合、発光素子３２から照射される照射光が、煙の粒子によって散乱され、この散乱光が受光素子４２によって受光される。
【００２９】
図５は、検知装置１０の各機能を示すブロック図である。図５を参照して、検知装置１０は、発光部３０と、受光部４０と、警報回路５０と、制御回路６０と、記憶回路７０とを含む。また、検知装置１０は、上述したように発光素子３２と受光素子４２とを含む煙検知室２０を有している。
【００３０】
発光制御回路３１は、制御回路６０から出力される制御信号に基づいて発光素子３２の駆動を制御するための駆動回路である。発光素子３２は、発光制御回路３１の駆動制御に従って発光し、光を放射する。
【００３１】
制御回路６０は、プロセッサ、メモリ等により構成され、検知装置１０の動作を制御するための回路であり、第１判定部６１と第２判定部６２とを含む。制御回路６０は、所定のタイミングに従って発光制御回路３１に制御信号を出力（例えばパルス信号を出力）し、発光制御回路３１に発光素子３２を駆動させる。発光素子３２は、発光制御回路３１の駆動制御に従って、間欠的に発光する。
【００３２】
受光部４０は、受光制御回路４１と、受光素子４２とを含む。受光素子４２は、受光量に応じた信号値を受光制御回路４１へ出力する。受光制御回路４１は、受光素子４２が受光量に応じて出力する信号に対し、Ａ／Ｄ（Analog  to  Digital）変換など必要な処理を行って制御回路６０へ出力する。
【００３３】
本実施形態では、発光素子３２から煙に対して光が照射され、煙の粒子によって散乱された散乱光を受光素子４２が受光するため、煙検知室２０の内部における煙の濃度が高くなるにつれて受光素子４２が受光量に応じて出力する信号値が大きくなる。
【００３４】
記憶回路７０は、不揮発性メモリ等により構成され、初期受光量７１と、閾値情報７２とを保持する。初期受光量７１は、検知装置１０の動作開始時などに記録される情報であり、煙検知室２０の内部に煙がない状態において、発光素子３２を発光させた場合の受光素子４２の受光量（初期値）を示す情報である。
【００３５】
閾値情報７２は、受光素子４２が出力する信号値と比較するための閾値を複数含む。閾値情報７２は、例えば、煙の発生を早期に検知するため、煙の濃度が第１の濃度の場合の受光素子４２の受光量に対応する第１の閾値（閾値Ｙ１）と、第１の閾値よりも大きい第２の閾値（閾値Ｙ２）（煙の濃度が第２の濃度の場合に対応）とを示す情報である。検知装置１０が第１の閾値と第２の閾値とを用いて煙を検知する処理の詳細は後述する。
【００３６】
第１判定部６１は、閾値情報７２に示される第１の閾値と、受光素子４２が出力する受光量に応じた信号値とを比較して、煙の濃度が第１の濃度を上回るか否かを判定している。第１判定部６１は、信号値と第１の閾値とを比較した結果、煙の濃度が第１の濃度を上回ると判定した場合に、煙を検知したことを示す警報発報信号を警報回路５０へ出力する。第１判定部６１は、煙の濃度が第１の濃度を上回らないと判定した場合は、警報発報信号を出力せず、煙を検知していないことを示す警報解除信号を警報回路５０へ出力する。
【００３７】
第２判定部６２は、受光素子４２が出力する受光量に応じた信号値と第１の閾値との比較の結果、煙の濃度が第１の濃度を上回る場合に、信号値の増減を監視して、信号値と第２の閾値とを比較する。第２判定部６２は、信号値と第２の閾値との比較の結果、煙の濃度が第２の濃度（第１の濃度より大きい）を越えない期間が一定期間（例えば、数秒程度の期間を一定期間としてもよく、発光素子３２が発光する周期または周期の逓倍を一定期間としてもよい）に及ぶか否かを判定する。すなわち、第２判定部６２は、上記の一定期間の間は、煙の濃度が第２の濃度を上回らない場合も警報発報信号の出力を継続する。第２判定部６２は、煙の濃度が第２の濃度を上回らない期間が一定期間続く場合は、電気的なノイズ等が存在するか、警報を要しない低濃度の煙であるとみなして警報解除信号を警報回路５０へ出力する。第２判定部６２は、信号値と第２の閾値との比較の結果、煙の濃度が第２の濃度以上である場合に、警報発報信号の警報回路５０への出力を継続する。
【００３８】
警報回路５０は、Ｉ／Ｏ（Input/Output）等を備え、受光素子４２の信号値と閾値情報７２に示される閾値との判定結果に応じて制御回路６０から出力される警報発報信号に従って警報（電圧など）を出力し、警報解除信号に従って、警報を解除する。
【００３９】
＜動作＞
図６を参照し、本実施形態の空調制御システムの動作について説明する。図６は、検知装置１０の動作を示すフローチャートである。
【００４０】
ステップＳ１において、検知装置１０の制御回路６０は、動作を開始すると、発光素子３２を発光させ、煙がない状態において発光素子３２が発光した場合の受光素子４２の受光量を取得する。制御回路６０は、取得した受光量を、初期値Ｍとしてメモリ（記憶回路７０）に保持させる。
【００４１】
ステップＳ２において、制御回路６０は、発光素子３２を所定の周期に従って間欠的に発光させ、受光素子４２が出力する信号値（信号値Ｘ）を取得する。
【００４２】
ステップＳ３において、制御回路６０は、信号値Ｘと、初期値Ｍとの差分が第１の閾値（閾値Ｙ１）を上回るか否かを判定する。これにより、制御回路６０は、煙検知室２０における煙の濃度が第１の濃度を上回るか否かを判定する。煙の濃度が第１の濃度を上回らない場合（ステップＳ３においてＮＯ）は、制御回路６０は、ステップＳ２の処理を繰り返し行って、煙検知室２０の煙の濃度の変化を監視する。煙の濃度が第１の濃度を上回ると（ステップＳ３においてＹＥＳ）、制御回路６０は、ステップＳ４の処理を行う。
【００４３】
ステップＳ４において、制御回路６０は、警報発報信号を警報回路５０へ出力することで、警報のための動作を行う。
【００４４】
ステップＳ５において、制御回路６０は、経過時間ｔを初期化する（ｔ＝０）。
ステップＳ６において、制御回路６０は、継続して受光素子４２からの信号値の出力を受け付けて、信号値Ｘを取得する。
【００４５】
ステップＳ７において、制御回路６０は、信号値Ｘと、初期値Ｍとの差分が第２の閾値（閾値Ｙ２）を上回るか否かを判定する。煙の濃度が第２の濃度を上回る場合（ステップＳ７においてＹＥＳ）は、制御回路６０は、ステップＳ８の処理を行う。制御回路６０は、煙の濃度が第２の濃度を上回らない場合に（ステップＳ７においてＮＯ）、ステップＳ９の処理を行う。
【００４６】
ステップＳ８において、制御回路６０は、例えば、予め設定されたタイムアウト期間が経過するまで警報発報信号の出力を継続する。
【００４７】
ステップＳ９において、制御回路６０は、経過時間ｔが時間Ｔ１を上回るか否かを判定する。制御回路６０は、経過時間ｔの計測開始から時間Ｔ１が経過するまでの間、ステップＳ６以降の処理を行い、経過時間ｔが時間Ｔ１を上回る場合は、ステップＳ１０の処理を行う。
【００４８】
ステップＳ１０において、制御回路６０は、警報解除信号を警報回路５０へ出力する。
本実施形態の検知装置１０は、上記のように複数の閾値を用いて、受光素子４２の信号値を第１の閾値（閾値Ｙ１）と比較することによって煙の発生を早期に検知し、その後、信号値と（第１の閾値より大きい）第２の閾値とを比較する。これにより、検知装置１０は、大量の煙が発生している場合には煙を検知し、電気的なノイズ等が存在する場合における誤検知を防ぎ、警報を発するほどではない煙濃度であった場合には警報を解除することができる。そのため、検知装置１０を含む空調制御システムは、検知装置１０の検知結果に応じてダンパ３を開閉するため、大量の濃い煙が室内空間２へ侵入することを防ぎつつ、ダンパ３を閉じる必要がない程度の薄い濃度の煙が車両１に流入した場合は、ダンパ３を、再度開くことにより室内空間２への外気の取り込みを再開することができる。
【００４９】
ここで、本実施形態のように複数の閾値を用いず煙を検知する場合（比較例）とともに、検知装置１０の動作を具体的に説明する。
【００５０】
図７は、比較例における検知装置の動作を示す図である。図７の例は、１つの閾値（閾値Ｙ２）を受光素子の出力結果と比較することで煙を検知している。そのため、煙検知室２０の煙濃度が低濃度である期間は、受光素子の信号値Ｘと初期値Ｍとの差分が閾値Ｙ２を超えるまで警報回路５０から警報が出力されず、空調制御システムにおいて、外気から室内空間２へと煙が流入し続ける。
【００５１】
図８は、本実施形態において、高濃度の煙が室内空間２へ流入する場合の検知装置１０の動作を示す図である。図９は、本実施形態において、煙の濃度が室内空間２への流入を防ぐほどではない場合の検知装置１０の動作を示す図である。
【００５２】
図８を参照して、検知装置１０は、受光素子４２の信号値Ｘと初期値Ｍとの差分（Ｘ−Ｍ）を、第１の閾値（閾値Ｙ１）と比較する。上記の差分が閾値Ｙ１を上回った時点（ｔ＝０）から、制御回路６０は警報発報信号を出力して警報回路５０によって警報を発報する。その後、一定期間（時間Ｔ１）が経過した時点で、信号値Ｘと初期値Ｍとの差分が閾値Ｙ２を上回っている場合、制御回路６０は、室内空間２への流入を防ぐべき濃度の煙を検知しており、警報発報信号を警報回路５０へ出力して警報回路５０による警報の発報を継続する。
【００５３】
図９を参照して、検知装置１０は、受光素子４２の信号値Ｘと初期値Ｍとの差分（Ｘ−Ｍ）と、第１の閾値（閾値Ｙ１）とを比較する。上記の差分が閾値Ｙ１を上回った時点（ｔ＝０）から、制御回路６０は警報発報信号を出力して警報回路５０によって警報を発する。その後、一定期間（時間Ｔ１）が経過した時点において、信号値Ｘと初期値Ｍとの差分が閾値Ｙ２よりも小さい場合、制御回路６０は、警報解除信号を警報回路５０へ出力して警報回路５０による警報を継続する。
【００５４】
（変形例）
上記の実施の形態１では、受光素子４２が出力する信号値Ｘと、初期値Ｍとの差分を閾値Ｙ１または閾値Ｙ２と比較することとして説明したが、制御回路６０は、信号値Ｘと、閾値Ｙ１または閾値Ｙ２とを比較することで警報発報信号または警報解除信号の出力を制御することとしてもよい。
【００５５】
＜実施の形態２＞
上述した実施の形態１では、煙検知室２０において、円形のベース２１に発光素子３２と受光素子４２とが互いに向き合わない角度で取り付ける例を説明した。実施の形態２では、円形のベース２１において、発光素子３２と受光素子４２とが対向して配置される例について説明する。
【００５６】
図１０は、実施の形態２の煙検知室２０を示す図である。図１０を参照して、上述したように、発光素子３２と受光素子４２とが対向して配置されている。そのため、発光素子３２が発光する光は、受光素子４２によって受光される。ここで、発光素子３２の照射範囲Ａに煙が流入した場合、発光素子３２から放射された光が煙によって遮断される。受光素子４２は、煙によって遮断された減衰光を受光する。そのため、受光素子４２は、煙の濃度が高くなるほど、受光量が小さくなり、減衰光の受光量に応じた信号値を出力する。すなわち、受光素子４２が出力する信号値が小さいほど、信号値は、煙検知室２０の内部の煙の濃度が高いことを示す。
【００５７】
実施の形態２において、閾値情報７２は、第１の閾値と、第１の閾値より小さい第２の閾値とを含む。第１判定部６１は、例えば、受光素子４２から出力される信号値に基づく値が、第１の閾値を下回る場合に、煙の濃度が第１の濃度以上と判定して警報発報信号を警報回路５０へ出力する。第２判定部６２は、例えば、受光素子４２から出力される信号値に基づく値が第１の閾値を下回る場合に、信号値の増減を監視して、信号値と第２の閾値とを比較して、信号値が第２の閾値を下回らない期間が一定期間に及ぶか否かを判定する。第２判定部６２は、受光素子４２の信号値に基づく値が第２の閾値を下回らない期間が一定期間続く場合は、電気的なノイズ等が存在するか、または、警報回路５０が警報を発するほどではない低濃度の煙であるとみなして、警報解除信号を警報回路５０へ出力する。
【００５８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５９】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６０】
１  車両、２  室内空間、３  ダンパ、４  室内送風機、５  室外送風機、１０  検知装置、１１  外気流入口、２０  煙検知室、３０  発光部、３１  発光制御回路、３２  発光素子、４０  受光部、４１  受光制御回路、４２  受光素子、５０  警報回路、６０  制御回路、６１  第１判定部、６２  第２判定部、７０  記憶回路、７１  初期受光量、７２  閾値情報、９１  空調制御部、９２  ダンパ駆動制御回路、９３  室内送風機駆動回路。
【図１】
2014186620.tif 000003
【図２】
2014186620.tif 000004
【図３】
2014186620.tif 000005
【図４】
2014186620.tif 000006
【図５】
2014186620.tif 000007
【図６】
2014186620.tif 000008
【図７】
2014186620.tif 000009
【図８】
2014186620.tif 000010
【図９】
2014186620.tif 000011
【図１０】
2014186620.tif 000012